(57)【要約】      （修正有）【課題】四国八十八ヶ所のお遍路を終えた方が、仏前において、御影の仏像画を観賞し祈りをする事ができ、御影の遍路を続ける事が出来る御影整理収納観賞箱を提供する。【解決手段】四国八十八ヶ所、各お寺の御本尊仏像画で立像や座像刻印の御影を貼り付けた、２Ｌ版の台紙９０枚を立て収納し、透明アクリル板６からなる収納箱前面から御影の観賞が行える御影収納観賞箱であって、箱内底部に、滑り台下降部３と椀型に加工した迫り上げ４を付けた、一体型の治具２を設け、前面の先頭台紙が段違いに成る滑り台を構成した。【選択図】図３
0003221322.tif 000002
【実用新案登録請求の範囲】
【請求項１】
御影（四国八十八ヶ所の各お寺の御本尊仏像刻印の紙）用収納箱を設け、御影の垂直観賞を可能にした御影収納観賞箱
【請求項２】
御影用に設けたカード９０枚を、順次・順番に取り出しを行える様、御影収納観賞箱内部の底に、傾斜と滑り台を利用し紙の押し上げを、自重で行う迫り上げ治具。
【請求項３】
御影は、紙で出来ており薄い為、垂直収納は不向きである、２Ｌ版紙の台紙を設け、御影（四国八十八ヶ所の御影８８枚の紙）を貼り合わせる為の絶対数８８枚の台紙と別２枚を含めた９０枚の、垂直収納を可能とする台紙カード。
（御影は、利用者の持ち物である、又、四国八十八ヶ所の御影は、特許に登録された物品である為、（図１（あ））掲載を控えます、従って、試作、テストは、同等の紙質、寸法で行った。）
【考案の詳細な説明】
【技術分野】
【０００１】    この考案は、薄い紙の御影を繰り返し観賞出来る様、前面に透明な物品を設けた。２Ｌの大きさの厚手の紙のカードを９０枚設け、薄い紙の御影は貼り合わせて、垂直に立て収納。紙カード個体は一枚ずつが、分離されている物で、垂直に収納した紙カードの底部に治具を設け、紙カードは傾斜と椀型にそらせた治具にそって、同じ曲線を描き、治具に反り上がった加工を施した形と同じに、先端の紙カードは飛び出た形に成る、紙の自重、重力を利用して、２Ｌの紙カードの表面に貼り付けた薄い小さいサイズの御影と紙カードの裏面との間は、紙同士の接触面が少なく摩擦は最小に成るので、お互いの吸着が減少する、従って曲線と成りやすい、自然を活かしたものである。
【背景技術】
【０００２】御影は仏像画である為、一般的本来は、曼荼羅にしているが、四国八十八ヶ所をお遍路された方の多くは、保管を仏壇などの引き出し等に、しまい込んでいたり、袋の中に入れたままだったり、御朱印帳に挟んでの保管が多い。
【考案の概要】
【考案が解決しようとする課題】
【０００３】    四国八十八ヶ所の御影は８８枚、曼荼羅にすると（１Ｍ平方）の広さで、掛け軸も（横８０ＣＭ縦１８０ＣＭ）と有ります。時代と共に、部屋に飾れるスペースは少なく、設置もままならない、収納整理を簡単にして、観賞を可能にする事で、持ち運びも軽量であり、収納と管理と観賞を、共する物で解決を行った。
【課題を解決するための手段】
【０００４】    御影の紙（あ）は、６５ｍｍ×１２２ｍｍの紙で出来ており、厚みが非常に薄く垂直収納は不向きである為、（図１）２Ｌ版の１２７ｍｍ×１７８ｍｍ（１）の厚口の台紙を設け、中央鎖線部（あ）に御影を貼り合わせる事で、垂直収納を可能とし、絶対枚数８８枚と他２枚（御影８８枚分＋大師像１枚＋表紙１枚）で、（図３）９０枚の紙の、裏面を支える背押しバネ（８）を設け垂直を安定させた、（仮）の御影（あ）を貼り合わせた２Ｌ版の紙同士は、全体の接触面が小さく摩擦が少なく成り（図３）傾斜を利用した滑り台型治具（２）で自然な椀型カーブ（４）から先端（５）に、押し上げを可能にし、且つ、正面は（図３）観賞できる様、透明のアクリル板（６）を設け、先端のカード（ハ）を取り出し（図１３）移動（図１５）で、後方収納（イ）を行える様に、（図３）本体上部蓋（９）を設け、Ｌ字型ヒンジ（１０）を設け、蓋が全開（図９）する様に設けて解決を行った。
【考案の効果】
【０００５】    本考案は御影の収納整理と仏像観賞、更に、御影のお遍路が容易に成った、又、置物としても設置場所を、選ばない利点がある、更に、木の加工である為、リサイクルや廃棄の時も、容易である。
【図面の簡単な説明】
【０００６】
【図１】御影を貼る為の台紙、正面図と右側面図である。（あ）の鎖線は、御影の仮である。（御影は商標登録品である）
【図２】御影を貼る為の台紙、裏面図と平面図である。
【図３】カードに御影を貼り付けた状態で収納した実施例の断面図
【図４】収納整理箱の内部を表す断面図
【図５】正面、平面及び右側面を表す図
【図６】Ａ−Ａ’線断面図
【図７】背面、平面及び左側面
【図８】正面、底面及び左側面
【図９】背面、底面及び右側面
【図１０】正面、平面及び右側面上部の蓋を開口した展開図
【図１１】背面、底面及び左側面上部の蓋を開口した展開図
【図１２】断面展開図１、蓋をした状態
【図１３】断面展開図２、先頭のカードを指先に掛ける
【図１４】断面展開図３、指で挟み引き上げる
【図１５】断面展開図４、カードを収納箱後方へ差し込む
【実施例】
【０００７】添え付け図面に従い実施例を説明します。木板で組み合わせ、Ｌ型ヒンジ（１０）を設けた蓋付きの収納箱（図５）を設けこの中に、紙を安定させる為のステンレス製板バネ（図３（８））を設け、更に、底部に、木製（２）傾斜とアクリル滑り台付（３）の椀型（４）加工した治具を設けた、収納箱の中に９０枚のカード（図４（１））を収納出来、箱の前面に透明アクリル板（６）を設け御影を観賞出来る【０００８】御影（あ）貼り付け用（１）２Ｌカード９０枚を、順番に取り出しが、容易に行える様に、紙の自重と傾斜の滑りを利用した治具（２）で、紙自体が迫り上がった。結果、展開図で示すとうりの、繰り返し取り出し収納が容易に成った。断面展開図（図１３）の先頭にあるカードは、先端が一番上にある為、指で引っ掛け摘める、次に（図１４）上方に引き抜き、（図１５）カードを後方に差し込む、ステンレスの背押し板バネ（８）と最後部カードの間に投入出来た（図１２）蓋をして完了である。此によって、８８枚の仏像鑑賞が出来た。【０００９】台紙（１）は、２Ｌの厚口の紙、枚数９０枚（四国八十八ヶ所の順番で一番札所〜８８番札所で８８枚、大師像用が１枚、御影へんろ用、表カードが１枚で計９０枚）が、（図４）で示すとうり収納箱に入ります。御影においては、（利用者の持ち物で有り特許登録された物である為、掲載が出来ません）ので（図１鎖線の（あ））である、試作及びテスト時は同等の紙質、同等の寸法で行った。
【符号の説明】
【００１０】（１）台紙
（あ）御影（架空）
（２）傾斜滑り台型迫り上げ治具
（３）アクリル滑り台
（４）椀型加工部分
（５）椀型の上部先端
（６）観賞窓アクリル板
（８）背押しバネ
（イ）９０枚の最後部収納カード台紙
（ロ）（４）の椀型を証明する紙型状の表現項目
（ハ）（５）の押し上がった状態を説明する項目
（９）蓋
（１０）ステンレスＬ型ヒンジ
【図１】
0003221322.tif 000003
【図２】
0003221322.tif 000004
【図３】
0003221322.tif 000005
【図４】
0003221322.tif 000006
【図５】
0003221322.tif 000007
【図６】
0003221322.tif 000008
【図７】
0003221322.tif 000009
【図８】
0003221322.tif 000010
【図９】
0003221322.tif 000011
【図１０】
0003221322.tif 000012
【図１１】
0003221322.tif 000013
【図１２】
0003221322.tif 000014
【図１３】
0003221322.tif 000015
【図１４】
0003221322.tif 000016
【図１５】
0003221322.tif 000017
【手続補正書】
【提出日】平成30年12月26日(2018.12.26)
【手続補正１】
【補正対象書類名】実用新案登録請求の範囲
【補正対象項目名】全文
【補正方法】変更
【補正の内容】
【実用新案登録請求の範囲】
【請求項１】
御影は四国八十八ヶ所、各お寺の御本尊仏像画刻印の紙８８枚である、御影の紙は薄く刻印された仏像画の御影みのでは、立てた時曲がりや、折れなどで変形を起こす、御影に刻印された仏像画の、形を崩すことなく仏前?業や鑑賞するには、厚い紙質の台紙によって形崩れを防ぐ必要があります、厚い紙質２Ｌ版の台紙は、御影の絶対枚数８８枚分と大使像御影１枚分とへんろ表紙１枚の９０枚を設け、御影を貼り付けて、立てた状態の収納が可能である、御本尊仏像画が見える様に、収納箱前面を透明な物品を設け、立てた状態で観賞出来る様にした、御影を貼り付けた２Ｌ版の台紙は、抜き差しを行える様、収納箱底部に滑り台の下降部に椀型を設け反り上がった形状に加工した治具を設けた、２Ｌ版の立てた台紙の、９０枚目のカードが取り出しやすくなる構造である、先端のカードを取り出し、後方へ収納する繰り返しで、御影の仏像画を垂直の状態で鑑賞出来る様に設けた、御影収納観賞箱である。
【請求項２】
御影補強用に設けたカードは、順番に取り出しを行う事が出来る様、箱の底部にカード用の滑り台を設け下降下部を８R程度半円の椀型で反り上がりを設けた、９０枚のカードは滑り台の付いた治具に立て収納し、カード９０枚の内７５枚程度が、滑り台の上に有りカードの自重により傾斜に沿って荷重が掛かるため最下部の椀部で、残りの１５枚に押す力として加わり椀型に沿って押し上げの力に変わり、反り上がった先端の９０枚目が、せり上がり、取り出しやすくなる様にした、滑り台と椀型を設けた迫り上げ治具を、特徴とする御影収納鑑賞箱である。
【請求項３】
２L版の台紙カードは、御影の変質や変形の痛みを少なくする、厚い紙質の紙を設け表面中央に御影を貼り付ける表示を設けた、中央に張り付ける事で、台紙カードの変形も最小になる、特徴とする御影収納鑑賞箱である。
【手続補正書】
【提出日】平成31年3月7日(2019.3.7)
【手続補正１】
【補正対象書類名】実用新案登録請求の範囲
【補正対象項目名】全文
【補正方法】変更
【補正の内容】
【実用新案登録請求の範囲】
【請求項１】
御影は四国八十八ヶ所、各お寺の御本尊仏像画で立像や座像刻印の御影を貼り付けた、２Ｌ版の台紙９０枚を立て収納し、収納箱前面から御影を観賞が行える御影収納観賞箱であって、箱内の収納した台紙底部の、滑り台下降部は椀型に加工し迫り上げを付けた、一体型の治具を設け、前面の先頭台紙が段違いに成る滑り台を、特徴とした御影収納観賞箱。
【請求項２】
２Ｌ版の台紙９０枚を収納した、収納箱内で台紙が後方に倒れを防止し、台紙を安定させ重さが集中する様に設けた、背押し板バネを、特徴とする請求項１に記載の御影収納観賞箱。
【請求項３】
２Ｌ版の台紙９０枚が収納された内部の御影を観賞できる様、箱の正面に透明な物品を設けた透視窓を、特徴とした請求項１又は請求項２記載の御影収納観賞箱。
【手続補正２】
【補正対象書類名】明細書
【補正対象項目名】全文
【補正方法】変更
【補正の内容】
【考案の詳細な説明】
【技術分野】
【０００１】
この考案は、御影を収納整理、観賞する為の透視窓へ移動させる滑り台付き収納箱に関する。
【特許文献１】実願  昭５４−４６０５３
【背景技術】
【０００２】
四国八十八ヶ所の御影は仏像画である、曼荼羅は、額や屏風、掛け軸など、約１M平方〜約横８０Ｃｍ縦１８０Ｃｍの大きさです、時代と共に、部屋に飾れるスペースは少なく成り、四国八十八ヶ所お遍路された方の多くは、保管を仏壇の引き出しや袋の中、御朱印帳等に挟んでの保管です、住宅事情等や生活環境等から、容易に持ち運ぶ事が出来、簡単に目的の仏像画に変更出来、観賞や拝仏でお参りが出来る様なコンパクトにした物品が無かった。
【特許文献２】意匠登録１５４５５８２
【特許文献３】実願  昭５７−３２４４
【考案の概要】
【考案が解決しようとする課題】
【０００３】
住居事情や環境から、御影の整理のコンパクト化、持ち運びを軽量化した物品が無かったので、箱の中に立てた状態で収納する必要が有った、箱の中で扇の様に開いて倒れるので、前方へ台紙を送る為の力が十分に加わらない為、位置固定の治具が必要でした、さらに目的の御影仏像画にする為には、差し替えが容易で無ければ、台紙全部を引き出す事になるので、一枚だけ容易に取り出す必要が有った、一枚だけ突出させるには、前方へ送る治具が必要で、動力などを使わず送るには、滑り台の傾斜が必要で紙の重さを前方へ送る力に変えスムーズに送る曲線が必要でした、御影の仏像画収納と観賞を共するには透視窓が必要であった。  
【課題を解決するための手段】
【０００４】
２Ｌ版台紙合計９０枚を、箱の中に立てた状態で収納し、滑り台の下降部に椀型の迫上げ治具を設けた、２Ｌ版台紙の裏面を支える背押しバネ（８）を設け垂直を安定させた、背押しバネにより台紙が垂直に安定する為滑り台に重さが集中するので（図３）滑り台型治具（２）を設けた椀型の曲線（４）に台紙の集中した重さは、横に逃げる力と変わり、椀型から反り上がった先端（５）に、台紙が押し上げられる、一枚だけ（ハ）段違と成る為台紙を抜き出すことが容易である、後方へ差し込み、繰り返しが出来る、先端の台紙は正面透視窓から見える様、透明の物品を設けて解決した。
【考案の効果】
【０００５】
本考案は滑り台に椀型を加工した治具により２Ｌ版台紙の収納と整理がし易く透視窓により御影仏像画の拝仏や観賞が出来る、コンパクトで置物として設置場所を選ばない利点がある、木加工である為、制作し易く修復が可能で、リサイクルや廃棄も容易である。
【図面の簡単な説明】
【０００６】
【図１】御影を貼る為の台紙、正面図と右側面図である。  （あ）の鎖線は、御影の仮である。（御影は商標登録品である）
【図２】御影を貼る為の台紙、裏面図と平面図である。
【図３】椀型加工した滑り台にカードを収納した実施例の断面図
【図４】カードの上端の形状を表す断面図
【図５】正面、平面及び右側面を表す図
【図６】Ａ−Ａ’線断面図
【図７】背面、平面及び左側面
【図８】正面、底面及び左側面
【図９】背面、底面及び右側面
【図１０】正面、平面及び右側面上部の蓋を開口した展開図
【図１１】背面、底面及び左側面上部の蓋を開口した展開図
【図１２】断面展開図１、蓋をした状態
【図１３】断面展開図２、先頭のカードを指先に掛ける
【図１４】断面展開図３、指で挟み引き上げる
【図１５】断面展開図４、カードを収納箱後方へ差し込む
【実施例】
【０００７】
添え付け図面に従い実施例を説明します、木板で組み合わせ、Ｌ型ヒンジ（１０）を設けた蓋付きの収納箱（図５）を設けこの中に、２Ｌ版台紙を、安定させる為のステンレス製板バネ（図３（８））を設け、更に、底部に、木製（２）滑り台付（３）の椀型（４）加工した治具を設けた、箱の前面、透視窓に透明アクリル板（６）を設け、２Ｌ版台紙（１）は、計９０枚（図４）で示すとうり収納箱に入る、（２）が迫り上り段違いに成る、取り出し収納が容易である、断面展開図（図１３）の先頭にある段違いのカードは、指で引っ掛け摘める、
【符号の説明】
【０００８】
（１）台紙
（あ）御影（仮）
（２）滑り台椀型付き迫り上げ治具
（３）アクリル滑り板
（４）椀型加工部分
（５）椀型の上部先端
（６）透明アクリル板
（８）背押しステンレス板バネ
（イ）９０枚の最後部収納カード台紙
（ロ）（４）の椀型を証明する紙型状の表現項目
（ハ）（５）の押し上がった状態を説明する項目
（９）蓋
（１０）Ｌ型ヒンジ